(57)【要約】【課題】埋め込みプロファイルを利用して色変換を行う際に、処理時間の短縮を図る。【解決手段】入力された画像オブジェクトに埋め込まれた埋め込みプロファイルに含まれる情報と、保存部に保存されている色変換テーブルに対応付けられた少なくとも埋め込みプロファイルに含まれる情報とに基づいて、保存部に保存されている色変換テーブルを適用するか、色変換テーブルを作成して適用するかを決定する。【選択図】図３
2008228018.tif 000002
【特許請求の範囲】
【請求項１】
画像オブジェクトに埋め込まれた埋め込みプロファイル及びデスティネーションプロファイルに基づいて色変換テーブルを作成する作成ステップと、
作成ステップにより作成された色変換テーブルを少なくとも埋め込みプロファイルに含まれる情報に対応付けて保存部に保存する保存ステップと、
保存部に保存されている色変換テーブルを取得する取得ステップと、
入力された画像オブジェクトに埋め込まれた埋め込みプロファイルに含まれる情報と、保存部に保存されている色変換テーブルに対応付けられた少なくとも埋め込みプロファイルに含まれる情報とに基づいて、保存部に保存されている色変換テーブルを取得ステップにより取得して適用するか、色変換テーブルを作成ステップにより作成して適用するかを決定する決定ステップと、
決定ステップにより決定された色変換テーブルを入力された画像オブジェクトの画像情報に対する色変換テーブルとして適用する適用ステップと、
適用ステップにより適用された色変換テーブルを用いて入力された画像オブジェクトの画像情報に対して色変換を行う色変換ステップと、
をコンピュータに実行させることを特徴とする色変換処理プログラム。
【請求項２】
前記決定ステップは、入力された画像オブジェクトに埋め込まれた埋め込みプロファイルの情報と、保存部に保存されている色変換テーブルに対応付けられた少なくとも埋め込みプロファイルに含まれる情報とが同一の場合に、保存部に保存されている色変換テーブルを取得ステップにより取得して適用することを決定することを特徴とする請求項１に記載の色変換処理プログラム。
【請求項３】
前記埋め込みプロファイルに含まれる情報は、ヘッダ情報又は色変換情報であることを特徴とする請求項１又は２に記載の色変換処理プログラム。
【請求項４】
前記保存ステップは、前記作成ステップにより作成された色変換テーブルを更にデスティネーションプロファイルに含まれる情報に対応付けて保存部に保存することを特徴とする請求項１〜３の何れか一項に記載の色変換処理プログラム。
【請求項５】
画像オブジェクトに埋め込まれた埋め込みプロファイル及びデスティネーションプロファイルに基づいて色変換テーブルを作成する作成手段と、
作成ステップにより作成された色変換テーブルを少なくとも埋め込みプロファイルに含まれる情報に対応付けて保存部に保存する保存手段と、
保存部に保存されている色変換テーブルを取得する取得手段と、
入力された画像オブジェクトに埋め込まれた埋め込みプロファイルに含まれる情報と、保存部に保存されている色変換テーブルに対応付けられた少なくとも埋め込みプロファイルに含まれる情報とに基づいて、保存部に保存されている色変換テーブルを取得ステップにより取得して適用するか、色変換テーブルを作成ステップにより作成して適用するかを決定する決定手段と、
決定手段により決定された色変換テーブルを入力された画像オブジェクトの画像情報に対する色変換テーブルとして適用する適用手段と、
適用手段により適用された色変換テーブルを用いて入力された画像オブジェクトの画像情報に対して色変換を行う色変換手段と、
を有することを特徴とする色変換処理装置。
【請求項６】
画像オブジェクトに埋め込まれた埋め込みプロファイル及び画像形成手段のプロファイルに基づいて色変換テーブルを作成する作成手段と、
作成ステップにより作成された色変換テーブルを少なくとも埋め込みプロファイルに含まれる情報に対応付けて保存部に保存する保存手段と、
保存部に保存されている色変換テーブルを取得する取得手段と、
入力された画像オブジェクトに埋め込まれた埋め込みプロファイルに含まれる情報と、保存部に保存されている色変換テーブルに対応付けられた少なくとも埋め込みプロファイルに含まれる情報とに基づいて、保存部に保存されている色変換テーブルを取得ステップにより取得して適用するか、色変換テーブルを作成ステップにより作成して適用するかを決定する決定手段と、
決定手段により決定された色変換テーブルを入力された画像オブジェクトの画像情報に対する色変換テーブルとして適用する適用手段と、
適用手段により適用された色変換テーブルを用いて入力された画像オブジェクトの画像情報に対して色変換を行う色変換手段と、
色変換手段により色変換が行われた画像情報に基づいて画像形成を行う前記画像形成手段と、を有することを特徴とする画像形成システム。
【発明の詳細な説明】
【技術分野】
【０００１】
本発明は、色変換処理プログラム、色変換処理装置及び画像形成システムに関する。
【背景技術】
【０００２】
近年、印刷業界においては、デジタルカメラの普及、グラフィックアプリケーションの高機能化、ＰＣの高性能化等に伴い、ＲＧＢデータによる入稿が増加している。
【０００３】
一般に、印刷機やプリンタ等のＣＭＹＫによる色域は、ＲＧＢの色域よりも狭く、ＲＧＢの原色に近い鮮やかな色をＣＭＹＫで再現することは不可能である。このため、出力画像の色調がユーザの望むものと異なってしまう場合がある。
【０００４】
また、ＲＧＢデータを開く環境が想定できない場合においても、グラフィックアプリケーションでのプロファイルの選択により適用されるカラースペースが異なるので、出力画像の色調がユーザの望むものと異なってしまう場合がある。
【０００５】
このため、例えば特許文献１に示すように、写真家が自分の望みの色再現方針を埋め込みプロファイルとして画像データに埋め込む手法が主流となってきている。
【０００６】
また、特許文献２には、オブジェクト毎にプロファイルを埋め込み、埋め込みプロファイルを利用するか否かをユーザに選択させることで、柔軟な色変換処理を実現することが記載されている。
【特許文献１】”印刷入稿のためのＲＧＢ画像運用ガイドブック２００４年度版”、［ｏｎｌｉｎｅ］、２００４年２月１日、日本広告写真家協会、［２００７年２月９日検索］、インターネット＜ｈｔｔｐ：／／ｗｗｗ．ａｐａ−ｊａｐａｎ．ｃｏｍ／ｄｏｗｎｌｏａｄ／ｉｎｄｅｘ．ｈｔｍｌ＞
【特許文献２】特開２００３−５８３５４号公報
【発明の開示】
【発明が解決しようとする課題】
【０００７】
しかしながら、埋め込みプロファイルを利用する場合に、埋め込みプロファイルを読み込む毎に色変換テーブルを作成していたのでは、色変換に関する処理時間が長く掛かってしまう。この問題は、多くのオブジェクトが含まれた魅力的な原稿作りが今後進展していくにつれて、さらに顕著となるものと考えられる。
【０００８】
本発明は、以上のような問題に鑑みてなされたものであり、埋め込みプロファイルを利用して色変換を行う際に、処理時間の短縮を図ることを目的とする。
【課題を解決するための手段】
【０００９】
本発明の色変換処理プログラムは、画像オブジェクトに埋め込まれた埋め込みプロファイル及びデスティネーションプロファイルに基づいて色変換テーブルを作成する作成ステップと、作成ステップにより作成された色変換テーブルを少なくとも埋め込みプロファイルに含まれる情報に対応付けて保存部に保存する保存ステップと、保存部に保存されている色変換テーブルを取得する取得ステップと、入力された画像オブジェクトに埋め込まれた埋め込みプロファイルに含まれる情報と、保存部に保存されている色変換テーブルに対応付けられた少なくとも埋め込みプロファイルに含まれる情報とに基づいて、保存部に保存されている色変換テーブルを取得ステップにより取得して適用するか、色変換テーブルを作成ステップにより作成して適用するかを決定する決定ステップと、決定ステップにより決定された色変換テーブルを入力された画像オブジェクトの画像情報に対する色変換テーブルとして適用する適用ステップと、適用ステップにより適用された色変換テーブルを用いて入力された画像オブジェクトの画像情報に対して色変換を行う色変換ステップと、をコンピュータに実行させることを特徴とする。
【００１０】
また、本発明の色変換処理装置は、画像オブジェクトに埋め込まれた埋め込みプロファイル及びデスティネーションプロファイルに基づいて色変換テーブルを作成する作成手段と、作成ステップにより作成された色変換テーブルを少なくとも埋め込みプロファイルに含まれる情報に対応付けて保存部に保存する保存手段と、保存部に保存されている色変換テーブルを取得する取得手段と、入力された画像オブジェクトに埋め込まれた埋め込みプロファイルに含まれる情報と、保存部に保存されている色変換テーブルに対応付けられた少なくとも埋め込みプロファイルに含まれる情報とに基づいて、保存部に保存されている色変換テーブルを取得ステップにより取得して適用するか、色変換テーブルを作成ステップにより作成して適用するかを決定する決定手段と、決定手段により決定された色変換テーブルを入力された画像オブジェクトの画像情報に対する色変換テーブルとして適用する適用手段と、適用手段により適用された色変換テーブルを用いて入力された画像オブジェクトの画像情報に対して色変換を行う色変換手段と、を有することを特徴とする。
【００１１】
また、本発明の画像形成システムは、画像オブジェクトに埋め込まれた埋め込みプロファイル及び画像形成手段のプロファイルに基づいて色変換テーブルを作成する作成手段と、作成ステップにより作成された色変換テーブルを少なくとも埋め込みプロファイルに含まれる情報に対応付けて保存部に保存する保存手段と、保存部に保存されている色変換テーブルを取得する取得手段と、入力された画像オブジェクトに埋め込まれた埋め込みプロファイルに含まれる情報と、保存部に保存されている色変換テーブルに対応付けられた少なくとも埋め込みプロファイルに含まれる情報とに基づいて、保存部に保存されている色変換テーブルを取得ステップにより取得して適用するか、色変換テーブルを作成ステップにより作成して適用するかを決定する決定手段と、決定手段により決定された色変換テーブルを入力された画像オブジェクトの画像情報に対する色変換テーブルとして適用する適用手段と、適用手段により適用された色変換テーブルを用いて入力された画像オブジェクトの画像情報に対して色変換を行う色変換手段と、色変換手段により色変換が行われた画像情報に基づいて画像形成を行う前記画像形成手段と、を有することを特徴とする。
【発明の効果】
【００１２】
本発明によれば、既存の色変換テーブルを有効活用することができるので、色変換に関する処理時間の短縮を図ることができる。
【発明を実施するための最良の形態】
【００１３】
以下、図面に基づいて本実施形態について説明するが、一例であり、本実施形態に限定するものではない。
【００１４】
（システム構成）
図１は、本実施形態に係る画像形成システムの構成図である。画像形成システム１は、ＰＣ（パーソナルコンピュータ）１０及びプリンタ２０から構成されている。ＰＣ１０は、本発明の色変換処理装置に相当する。また、プリンタ２０は、本発明の画像形成手段に相当する。
【００１５】
ＰＣ１０は、ＣＰＵ１１を中心に、バス１２により、ＲＯＭ１３、ＲＡＭ１４、ＨＤ（ハードディスク）１５、キーボードやマウス等の入力部１６、液晶モニタやＣＲＴモニタ等の表示部１７、通信部１８、等が相互に接続されている。
【００１６】
ＨＤ１５には、画像データを作成するためのアプリケーションプログラム、作成された画像データの色変換処理を行う色変換処理プログラム、色変換処理された画像データをラスターイメージデータに展開するＲＩＰプログラム等のプログラム、及びソースプロファイル、デスティネーションプロファイル等のデータが予め記憶されている。また、ＨＤ１５には、色変換処理工程において作成される色変換テーブル等が保存される。ＨＤ１５は、本発明の保存部に相当する。
【００１７】
ＣＰＵ１１は、本発明のコンピュータに相当するとともに、色変換処理プログラムに基づいて処理を実行することにより、本発明の作成手段、保存手段、取得手段、決定手段、適用手段及び色変換手段として機能する。
【００１８】
アプリケーションプログラムを用いて作成した画像データは、色変換処理プログラムにより色変換され、ＲＩＰプログラムによりラスターイメージデータに展開された後、通信部１８を介してプリンタ２０に出力され、プリンタ２０にて画像形成が行われる。
【００１９】
（色変換処理の概要）
＜色変換テーブルの作成＞
図２は、本実施形態に係る色変換テーブル作成の基本概念図である。
【００２０】
画像データを構成する画像オブジェクトは、画像情報（画像、図形、テキストブロック等）の他に埋め込みプロファイルを有している。埋め込みプロファイルは、ヘッダ情報及び色変換情報を含んでいる。
【００２１】
ヘッダ情報は、例えば、プロファイルのファイル名、製作会社名、製作者、製作日時、表色系名（Ｌ*ａ*ｂ*、ＸＹＺ等）、対象デバイス種類（インプットデバイス、ディスプレイデバイス等）、等の情報を含んでいる。
【００２２】
色変換情報は、例えば、ＲＧＢ値とＬ*ａ*ｂ*値との対応情報、ＲＧＢ値とＸＹＺ値との対応情報、等である。
【００２３】
一方、デスティネーションプロファイル（本実施形態では、プリンタ２０のプロファイル）は、埋め込みプロファイルと同様にヘッダ情報及び色変換情報を含んでいる。
【００２４】
埋め込みプロファイルの色変換情報とデスティネーションプロファイルの色変換情報とを用いて演算を行うことにより、色変換テーブルが作成される。作成された色変換テーブルは、埋め込みプロファイルのヘッダ情報、色変換情報、等と対応付けられＨＤ１５に保存される。
【００２５】
＜色変換テーブルの適用＞
図３は、本実施形態に係る画像オブジェクトに対する色変換テーブル適用の概念図である。一例として、４つの画像オブジェクトＧ１〜Ｇ４を含むジョブの場合について示す。
【００２６】
画像オブジェクトＧ１〜Ｇ４のそれぞれは、図２において示したように、ヘッダ情報及び色変換情報を含む埋め込みプロファイル、並びに画像情報を有している。また、デスティネーションプロファイルは、ヘッダ情報及び色変換情報を含んでいる。
【００２７】
ここで、例えば、画像オブジェクトＧ１〜Ｇ４及びデスティネーションプロファイルは、図３に示すように、それぞれ以下の諸情報を有しているものとする。
【００２８】
画像オブジェクトＧ１は（ヘッダ情報：１、色変換情報：Ａ、画像情報：イ）、画像オブジェクトＧ２は（ヘッダ情報：１、色変換情報：Ａ、画像情報：ロ）、画像オブジェクトＧ３は（ヘッダ情報：２、色変換情報：Ｂ、画像情報：ハ）、画像オブジェクトＧ４は（ヘッダ情報：３、色変換情報：Ｂ、画像情報：ニ）を有している。デスティネーションプロファイルは、（ヘッダ情報：０、色変換情報：Ｄ）を有している。
【００２９】
以下、画像オブジェクトＧ１〜Ｇ４に対する色変換テーブルの適用手順について説明する。尚、既存の色変換テーブルは存在しないものとする。
【００３０】
まず、画像オブジェクトＧ１に対する色変換テーブルの適用を行う。
【００３１】
画像オブジェクトＧ１の色変換情報：Ａ及びデスティネーションプロファイルの色変換情報：Ｄから色変換テーブル：ＡＤを作成する（手順１）。そして、当該色変換テーブル：ＡＤを、画像オブジェクトＧ１に対する色変換テーブルとして適用する（手順２）。
【００３２】
また、当該色変換テーブル：ＡＤを、画像オブジェクトＧ１のヘッダ情報：１、色変換情報：Ａと対応付けて、即ち（ヘッダ情報：１、色変換情報：Ａ、色変換テーブル：ＡＤ）と対にした状態でＨＤ１５に保存する。
【００３３】
次に、画像オブジェクトＧ２に対する色変換テーブルの適用を行う。
【００３４】
このとき、画像オブジェクトＧ２のヘッダ情報：１と同じヘッダ情報：１を有する色変換テーブル：ＡＤがＨＤ１５に存在（手順１で作成・保存されている）するので、当該色変換テーブルＡＤを活用し、画像オブジェクトＧ２に対する色変換テーブルとして適用する（手順３）。
【００３５】
次に、画像オブジェクトＧ３に対する色変換テーブルの適用を行う。
【００３６】
このとき、画像オブジェクトＧ３のヘッダ情報：２又は色変換情報：Ｂと同じヘッダ情報又は色変換情報を有する色変換テーブルは存在しないので、新たに色変換テーブルを作成する。画像オブジェクトＧ３の色変換情報：Ｂ及びデスティネーションプロファイルの色変換情報：Ｄから色変換テーブル：ＢＤを作成する（手順４）。そして、当該色変換テーブル：ＢＤを、画像オブジェクトＧ３に対する色変換テーブルとして適用する（手順５）。
【００３７】
また、当該色変換テーブル：ＢＤを、画像オブジェクトＧ３のヘッダ情報：２、色変換情報：Ｂと対応付けて、即ち（ヘッダ情報：２、色変換情報：Ｂ、色変換テーブル：ＢＤ）と対になった状態でＨＤ１５に保存する。
【００３８】
次に、画像オブジェクトＧ４に対する色変換テーブルの適用を行う。
【００３９】
このとき、画像オブジェクトＧ４の色変換情報：Ｂと同じ色変換情報：Ｂを有する色変換テーブル：ＢＤがＨＤ１５に存在（手順４で作成・保存されている）するので、当該色変換テーブルＢＤを活用し、画像オブジェクトＧ４に対する色変換テーブルとして適用する（手順６）。
【００４０】
つまり、ヘッダ情報又は色変換情報のどちらかが同一である色変換テーブルがＨＤ１５に存在すれば、当該色変換テーブルを活用する。
【００４１】
画像オブジェクトＧ１〜Ｇ４のそれぞれに適用された色変換テーブルを用いて、画像オブジェクトＧ１〜Ｇ４のそれぞれの画像情報に対する色変換が実行されることになる。
【００４２】
このように、画像オブジェクトＧ１〜Ｇ４に対する色変換テーブルの適用を行うにあたり、従来では画像オブジェクト毎の色変換テーブルの作成即ち４回の色変換テーブルの作成が必要であるところ、上記の例では２回の色変換テーブルの作成で済んでいる。この結果、色変換に関する処理時間を短縮することができる。
【００４３】
（プロファイルの設定）
図４は、本実施形態に係るプロファイル設定画面の一例である。プロファイル設定画面は、ユーザが色変換処理プログラムを起動し、入力部１６により所定の操作を行うことにより表示部１７に表示される。
【００４４】
図４のプロファイル設定画面は、「ソースプロファイル」及び「デスティネーションプロファイル」の設定欄から構成されている。
【００４５】
「ソースプロファイル」の設定欄は、「ＣＭＹＫ」、「ＲＧＢ」、「Ｇｒａｙ」の各ソースプロファイルに対して、プロファイルを選択するドロップダウンリストボックス及び「埋め込みプロファイルの使用」を設定するチェックボックスをそれぞれ有している。埋め込みプロファイルを優先して使用する場合には、当該チェックボックスにチェックを入れる。
【００４６】
「デスティネーションプロファイル」の設定欄は、「プロファイル」及びマッピング方法を決定する「レンダリングインテント」を選択するドロップダウンリストボックスを有している。また、Ｋ信号のみのオブジェクトをＣＭＹ色を用いずＫ単色で再現する「墨版保持」及びＣＭＹＫ各単色に他の色を混ぜない「濁り除去」を設定するチェックボックスを有している。「プロファイル」及び「レンダリングインテント」の選択、並びに「墨版保持」及び「濁り除去」の設定は、「Ｐｈｏｔｏ」及び「Ｇｒａｐｈｉｃｓ＆Ｔｅｘｔ」毎に独立して行うことができるようになっている。
【００４７】
表示部１７に表示されたプロファイル設定画面に対してユーザが入力部１６から入力を行うことにより、「ソースプロファイル」及び「デスティネーションプロファイル」の設定が行われる。例えば、本実施形態では、「ソースプロファイル」の「ＲＧＢ」の項目において「埋め込みプロファイルの使用」が設定され、「デスティネーションプロファイル」の「プロファイル」の選択においてプリンタ２０のプロファイルが選択される。
【００４８】
（色変換処理のフロー）
図５は、本実施形態に係る色変換処理のフロー図である。ＰＣ１０のＣＰＵ１１がＨＤ１５に記憶されている色変換処理プログラムに基づいて処理を実行することにより、当該色変換処理が行われる。尚、既にアプリケーションプログラムを用いて画像データが作成され、当該画像データが色変換処理プログラム上で開かれているものとする。また、プロファイルの設定も行われ、「埋め込みプロファイルの使用」が設定されているものとする。
【００４９】
まず、ＣＰＵ１１は、画像データから一の画像オブジェクトを抽出する（ステップＳ１）。
【００５０】
次に、ＣＰＵ１１は、当該画像オブジェクトに埋め込みプロファイルが存在するか否かを判断する（ステップＳ２）。
【００５１】
埋め込みプロファイルが存在すると判断すると（ステップＳ２；Ｙｅｓ）、ＣＰＵ１１は、ＨＤ１５に保存されている色変換テーブルに対応付けされているヘッダ情報群を取得する（ステップＳ３）。
【００５２】
次に、ＣＰＵ１１は、埋め込みプロファイルのヘッダ情報と同一のヘッダ情報がステップＳ３で取得したヘッダ情報群の中に存在するか否かを判断する（ステップＳ４：本発明の決定ステップ）。ヘッダ情報の同一性は、例えば、ヘッダ情報に含まれる全ての情報が一致するか否かで判断する。
【００５３】
埋め込みプロファイルのヘッダ情報と同一のヘッダ情報がステップＳ３で取得したヘッダ情報群の中に存在すると判断すると（ステップＳ４；Ｙｅｓ）、ステップＳ７（本発明の取得ステップ）に進み、ＣＰＵ１１は、当該ヘッダ情報に対応する色変換テーブルを取得する。その後、ステップＳ１１に進む。
【００５４】
埋め込みプロファイルのヘッダ情報と同一のヘッダ情報がステップＳ３で取得したヘッダ情報群の中に存在しないと判断すると（ステップＳ４；Ｎｏ）、ＣＰＵ１１は、ＨＤ１５に保存されている色変換テーブルに対応付けされている色変換情報群を取得する（ステップＳ５）。
【００５５】
次に、ＣＰＵ１１は、埋め込みプロファイルの色変換情報と同一の色変換情報がステップＳ５で取得した色変換情報群の中に存在するか否かを判断する（ステップＳ６：本発明の決定ステップ）。色変換情報の同一性は、例えば、ＲＧＢ値とＬ*ａ*ｂ*値との対応関係が全てのデータに対して一致するか否かで判断する。
【００５６】
埋め込みプロファイルの色変換情報と同一の色変換情報がステップＳ５で取得した色変換情報群の中に存在すると判断すると（ステップＳ６；Ｙｅｓ）、ステップＳ７（本発明の取得ステップ）に進み、ＣＰＵ１１は、当該色変換情報に対応する色変換テーブルを取得する。その後、ステップＳ１１に進む。
【００５７】
埋め込みプロファイルの色変換情報と同一の色変換情報がステップＳ５で取得した色変換情報群の中に存在しないと判断すると（ステップＳ６；Ｎｏ）、ＣＰＵ１１は、埋め込みプロファイルとデスティネーションプロファイルとを用いて演算を行い色変換テーブルを作成し（ステップＳ８：本発明の作成ステップ）、作成された色変換テーブルを埋め込みプロファイルのヘッダ情報及び色変換情報に対応付けてＨＤ１５に保存する（ステップＳ９：本発明の保存ステップ）。その後、ステップＳ１１に進む。
【００５８】
一方、ステップＳ２において埋め込みプロファイルが存在しないと判断すると（ステップＳ２；Ｎｏ）、図４に示すプロファイル設定画面で設定されているソースプロファイルとデスティネーションプロファイルとを用いて演算を行い色変換テーブルを作成する（ステップＳ１０）。その後、ステップＳ１１に進む。尚、ステップＳ１０の後に作成した色変換テーブルを設定されているソースプロファイルのヘッダ情報及び色変換情報に対応付けてＨＤ１５に保存してもよい。
【００５９】
次に、ステップＳ１１において、ＣＰＵ１１は、ステップＳ７において取得した色変換テーブル、ステップＳ８で作成された色変換テーブル、又はステップＳ１０で作成された色変換テーブルを適用し（本発明の適用ステップ）、当該色変換テーブルを用いて画像オブジェクトの画像情報を色変換する（本発明の色変換ステップ）。
【００６０】
次に、ＣＰＵ１１は、他の画像オブジェクトが存在するか否かを判断する（ステップＳ１２）。
【００６１】
他の画像オブジェクトが存在すると判断すると（ステップＳ１２；Ｙｅｓ）、ステップＳ１に戻る。
【００６２】
他の画像オブジェクトが存在しないと判断すると（ステップＳ１２；Ｎｏ）、フローを終了する。
【００６３】
以上のように、本実施形態では、画像オブジェクトのそれぞれに対して色変換テーブルを適用する際に、画像オブジェクトの埋め込みプロファイルのヘッダ情報又は色変換情報が既存の色変換テーブルに対応付けされているヘッダ情報又は色変換情報と一致する場合には、当該既存の色変換テーブルを活用するようにした。これにより、色変換に関する処理時間を短縮することができる。
【００６４】
特に、Ｋ版保持や濁り除去等が設定され色変換テーブルの作成演算手法が複雑な場合、又は多数の埋め込みプロファイルが埋め込まれたジョブを処理する場合に大きな効果を発揮する。
【００６５】
また、本実施形態のように、既存の色変換テーブルが存在するか否かの判断をヘッダ情報のみでなく色変換情報も用いて行うようにすると、製作者や製作日時等のヘッダ情報は異なるが同じ色変換情報を有するものを漏らさず検出することができる。
【００６６】
尚、上述したように、上記の実施形態における記述内容は一例であり、これに限定されるものではない。以下のような変形も可能である。
【００６７】
本実施形態では、作成した色変換テーブルを保存する際に埋め込みプロファイルのヘッダ情報、色変換情報を対応付けて保存したが、例えば、複数の画像形成装置の接続が想定されるシステムでは、さらにデスティネーションプロファイルのヘッダ情報、色変換情報も合わせて保存する。そして、ヘッダ情報の同一性、色変換情報の同一性における判断を行う場合には、デスティネーションプロファイルのヘッダ情報、色変換情報も加味して判断を行う。なぜなら、これらの情報が無いと、どの画像形成装置との間で作成された色変換テーブルかが識別できなくなり、他の画像形成装置との間で作成された色変換テーブルを適用してしまう虞があるからである。
【００６８】
本実施形態の画像形成システムでは、出力デバイスとしてプリンタ２０を示したが、これに限られるものではなく、出力デバイスとして、印刷機、ＤＤＣＰ（Ｄｉｒｅｃｔ  Ｄｉｇｉｔａｌ  Ｃｏｌｏｒ  Ｐｒｏｏｆｉｎｇ）、モニタ等を用いる場合にも本発明を適用することができる。
【図面の簡単な説明】
【００６９】
【図１】本実施形態に係る画像形成システムの構成図である。
【図２】本実施形態に係る色変換テーブル作成の基本概念図である。
【図３】本実施形態に係る画像オブジェクトに対する色変換テーブル適用の概念図である。
【図４】本実施形態に係るプロファイル設定画面の一例である。
【図５】本実施形態に係る色変換処理のフロー図である。
【符号の説明】
【００７０】
１  画像形成システム
１０  パーソナルコンピュータ
１１  ＣＰＵ
１５  ＨＤ
２０  プリンタ
【図１】
2008228018.tif 000003
【図２】
2008228018.tif 000004
【図３】
2008228018.tif 000005
【図４】
2008228018.tif 000006
【図５】
2008228018.tif 000007